(57)【特許請求の範囲】
【請求項１】
プラズマ切断トーチを用いて被切断材の一部を溶融させると共に排除して切断するプラズマ切断装置の切断状態を監視するプラズマ切断監視装置であって、
切断中の前記プラズマ切断トーチの先端から前記被切断材に向かって出射されるプラズマアークと、該プラズマアーク近傍の切断溝と、を撮像する撮像手段と、
前記撮像手段により撮像された撮像画像情報から前記プラズマアークの外径直径と、前記切断溝の溝幅と、を算出する算出手段と、
前記撮像手段により撮像された撮像画像情報から前記算出手段により算出された前記プラズマアークの外径直径情報と、前記切断溝の溝幅情報と、を時系列順に記憶する記憶手段と、
前記算出手段により算出された現在の実際の切断時の前記プラズマアークの外径直径と、前記切断溝の溝幅と、前記記憶手段に記憶された最前の実際の切断時の前記プラズマアークの外径直径と、前記切断溝の溝幅とを比較する比較手段と、
前記比較手段により比較される、現在の実際の切断時の前記プラズマアークの外径直径と、前記切断溝の溝幅と、最前の実際の切断時の前記プラズマアークの外径直径と、前記切断溝の溝幅とのそれぞれの差が、予め設定された許容範囲から何れかが外れた場合に前記プラズマ切断装置の切断動作に異常が生じたと判断する判断手段と、
を有することを特徴とするプラズマ切断監視装置。
【請求項２】
前記記憶手段には、前記被切断材の切断条件に対応して予め設定された前記プラズマアークの外径直径と、前記切断溝の溝幅とのそれぞれの許容値情報が記憶され、
前記比較手段は、前記算出手段により算出された現在の実際の切断時の前記プラズマアークの外径直径と、前記切断溝の溝幅と、前記記憶手段に記憶された前記被切断材の切断条件に対応して予め設定された前記プラズマアークの外径直径と、前記切断溝の溝幅とのそれぞれの許容値とを比較し、
前記比較手段により比較される、現在の実際の切断時の前記プラズマアークの外径直径と、前記切断溝の溝幅とが、前記被切断材の切断条件に対応して予め設定された前記プラズマアークの外径直径と、前記切断溝の溝幅とのそれぞれの許容範囲から何れかが外れた場合に、前記判断手段は、前記プラズマ切断装置の切断動作に異常が生じたと判断することを特徴とする請求項１に記載のプラズマ切断監視装置。
【請求項３】
プラズマ切断トーチを用いて被切断材の一部を溶融させると共に排除して切断するプラズマ切断装置の切断状態を監視するプラズマ切断監視装置であって、
切断中の前記プラズマ切断トーチの先端から前記被切断材に向かって出射されるプラズマアークと、該プラズマアーク近傍の切断溝と、を撮像する撮像手段と、
前記撮像手段により撮像された撮像画像情報から前記プラズマアークの外径直径と、前記切断溝の溝幅と、を算出し、該プラズマアークの外径直径と、前記切断溝の溝幅との差の２分の１の値を算出し、前記プラズマアークの外周と、該外周に近接する側の前記切断溝の溝縁との離間間隔を算出し、前記プラズマアークの外径直径と、前記切断溝の溝幅との差の２分の１の値と、前記プラズマアークの外周と、該外周に近接する側の前記切断溝の溝縁との離間間隔との差を算出する算出手段と、
前記撮像手段により撮像された撮像画像情報から前記算出手段により算出された前記プラズマアークの外径直径と、前記切断溝の溝幅との差の２分の１の値と、前記プラズマアークの外周と、該外周に近接する側の前記切断溝の溝縁との離間間隔との差情報を時系列順に記憶する記憶手段と、
前記算出手段により算出された現在の実際の切断時の前記プラズマアークの外径直径と、前記切断溝の溝幅との差の２分の１の値と、前記プラズマアークの外周と、該外周に近接する側の前記切断溝の溝縁との離間間隔との差と、前記記憶手段に記憶された最前の実際の切断時の前記プラズマアークの外径直径と、前記切断溝の溝幅との差の２分の１の値と、前記プラズマアークの外周と、該外周に近接する側の前記切断溝の溝縁との離間間隔との差とを比較する比較手段と、
前記比較手段により比較される、現在の実際の切断時の前記プラズマアークの外径直径と、前記切断溝の溝幅との差の２分の１の値と、前記プラズマアークの外周と、該外周に近接する側の前記切断溝の溝縁との離間間隔との差と、最前の実際の切断時の前記プラズマアークの外径直径と、前記切断溝の溝幅との差の２分の１の値と、前記プラズマアークの外周と、該外周に近接する側の前記切断溝の溝縁との離間間隔との差が予め設定された許容範囲から外れた場合に前記プラズマ切断装置の切断動作に異常が生じたと判断する判断手段と、
を有することを特徴とするプラズマ切断監視装置。
【請求項４】
前記記憶手段には、前記被切断材の切断条件に対応して予め設定された前記プラズマアークの外径直径と、前記切断溝の溝幅との差の２分の１の値と、前記プラズマアークの外周と、該外周に近接する側の前記切断溝の溝縁との離間間隔との差の許容値情報が記憶され、
前記比較手段は、前記算出手段により算出された実際の切断時の前記プラズマアークの外径直径と、前記切断溝の溝幅との差の２分の１の値と、前記プラズマアークの外周と、該外周に近接する側の前記切断溝の溝縁との離間間隔との差と、前記記憶手段に記憶された前記被切断材の切断条件に対応して予め設定された前記プラズマアークの外径直径と、前記切断溝の溝幅との差の２分の１の値と、前記プラズマアークの外周と、該外周に近接する側の前記切断溝の溝縁との離間間隔との差の許容値とを比較し、
前記比較手段により比較される、実際の切断時の前記プラズマアークの外径直径と、前記切断溝の溝幅との差の２分の１の値と、前記プラズマアークの外周と、該外周に近接する側の前記切断溝の溝縁との離間間隔との差が、前記被切断材の切断条件に対応して予め設定された前記プラズマアークの外径直径と、前記切断溝の溝幅との差の２分の１の値と、前記プラズマアークの外周と、該外周に近接する側の前記切断溝の溝縁との離間間隔との差の許容範囲から外れた場合に、前記判断手段は、前記プラズマ切断装置の切断動作に異常が生じたと判断することを特徴とする請求項３に記載のプラズマ切断監視装置。
【請求項５】
前記撮像手段は、前記プラズマ切断トーチの近傍で前記プラズマ切断装置に固定され、
前記算出手段は、前記プラズマ切断トーチの切断進行方向と、前記プラズマアークと前記撮像手段とを結ぶ直線方向とのずれの角度をθ、前記撮像手段により撮像した切断溝の溝幅をＷｉ、実際の切断溝の溝幅をＷａとした場合に、
Ｗａ＝Ｗｉ×｜ｃｏｓθ｜
の計算式により、前記撮像手段により撮像した切断溝の溝幅Ｗｉを、実際の切断溝の溝幅Ｗａに補正することを特徴とする請求項１〜４のいずれか１項に記載のプラズマ切断監視装置。
【発明の詳細な説明】
【技術分野】
【０００１】
本発明は、プラズマ切断トーチを用いて被切断材の一部を溶融させると共に排除して切断するプラズマ切断装置の切断状態を監視するプラズマ切断監視装置に関するものである。
【背景技術】
【０００２】
従来から鋼板や鋼管或いはステンレス鋼板，非鉄金属板等を被切断材とし、これらの被切断材に対してプラズマ切断トーチを利用して切断することが行われている。
【０００３】
プラズマ切断トーチを搭載する切断装置としては、数値制御（ＮＣ）装置によってプラズマ切断トーチの移動経路を制御するＮＣ切断装置、図面に描かれた図形を光学的に倣ってプラズマ切断トーチの移動経路を制御する倣い切断装置、切断すべき線に沿って予め配置されたレール上を走行する半自動切断装置等が提供されており、夫々被切断材の形状や切断すべき製品の形状等の条件に応じて最適なものが選択される。
【０００４】
上記切断装置とプラズマ切断トーチを用いて被切断材を切断する場合、電極の消耗等により切断の実行中にプラズマアークのエネルギー分布が不均一となり切断幅が変化したり、非切断状態になることがある。
【０００５】
従来では、非切断状態になった時には、目視により切断装置を停止して復旧を行なっており、切断幅の変化が目視により判別出来るものは切断装置を停止して復旧を行なうが、通常、プラズマアークは直接、目視出来ないほどの閃光を放ち、プラズマ切断トーチの先端と被切断材との間の隙間も比較的小さいため、遠く目で確認できる環境にない。そのような環境では製品が出来上がってしまうまで判別出来ない場合が多かった。
【０００６】
そこで、特許文献１ではＣＣＤ（Charge Coupled Device；電荷結合素子）カメラにより切断溝の切断幅を撮影して監視を行ったり、特許文献２ではＣＣＤカメラによりプラズマトーチと被切断材との間のアークを観察してアーク長さやアークの曲がりや径寸法（幅寸法）等を監視したり、特許文献３では光学カメラで切断部位を撮影して監視し、切断状況を判断することが行われている。
【先行技術文献】
【特許文献】
【０００７】
【特許文献１】特開２００２−３３１３８３号公報
【特許文献２】特開平１１−１５６５５１号公報
【特許文献３】特開平１１−１２９０８３号公報
【発明の概要】
【発明が解決しようとする課題】
【０００８】
しかしながら、前述の特許文献１の技術では、切断トーチの進行方向の変化に追従してＣＣＤカメラを旋回させる構成であるため、切断溝を切断トーチの真後側から撮影することが可能であるものの、複雑な機構を有する旋回装置が必要となるばかりか、切断トーチの進行方向に対応する所定の角度までＣＣＤカメラを旋回するまでの時間は精確な切断溝幅が確認できず、切断トーチの進行方向の変化と、これに追従するＣＣＤカメラの旋回角度の変化とを考慮して精確に切断溝幅を計算するためには煩雑な計算が必要になるといった問題があった。
【０００９】
特許文献２の技術では、プラズマアークの変化は確認出来るが、切断溝幅を直接監視するものでもなかったため切断溝幅の変化が直接確認出来るものではなかった。また、プラズマトーチと被切断材との間のアークのみを観察する構成であるため、切断トーチの進行方向の変化に追従してＣＣＤカメラの撮像方向を変化させる構成を有するものではなかった。
【００１０】
特許文献３の技術では、マクロカメラ、ミクロカメラが切断トーチに固定されており、切断トーチの進行方向の変化に追従してカメラの撮像方向を変化させる構成を有するものではなかった。
【００１１】
また、特許文献１〜３では、経時的に現在と最前とのプラズマアークの外径直径や切断溝幅を比較するものでもなく、プラズマアークの外径直径と切断溝幅との差やプラズマアークの軸芯と切断溝の中心との位置関係に基づいて切断状況を監視し得るものでもなかった。
【００１２】
本発明は前記課題を解決するものであり、その目的とするところは、経時的に現在と最前とのプラズマアークの外径直径や切断溝幅を比較したり、プラズマアークの外径直径と切断溝幅との差やプラズマアークの軸芯と切断溝の中心との位置関係に基づいて切断状況を監視し得るプラズマ切断監視装置を提供せんとするものである。
【課題を解決するための手段】
【００１３】
前記目的を達成するための本発明に係るプラズマ切断監視装置の第１の構成は、プラズマ切断トーチを用いて被切断材の一部を溶融させると共に排除して切断するプラズマ切断装置の切断状態を監視するプラズマ切断監視装置であって、切断中の前記プラズマ切断トーチの先端から前記被切断材に向かって出射されるプラズマアークと、該プラズマアーク近傍の切断溝と、を撮像する撮像手段と、前記撮像手段により撮像された撮像画像情報から前記プラズマアークの外径直径と、前記切断溝の溝幅と、を算出する算出手段と、前記撮像手段により撮像された撮像画像情報から前記算出手段により算出された前記プラズマアークの外径直径情報と、前記切断溝の溝幅情報と、を時系列順に記憶する記憶手段と、前記算出手段により算出された現在の実際の切断時の前記プラズマアークの外径直径と、前記切断溝の溝幅と、前記記憶手段に記憶された最前の実際の切断時の前記プラズマアークの外径直径と、前記切断溝の溝幅とを比較する比較手段と、前記比較手段により比較される、現在の実際の切断時の前記プラズマアークの外径直径と、前記切断溝の溝幅と、最前の実際の切断時の前記プラズマアークの外径直径と、前記切断溝の溝幅とのそれぞれの差が、予め設定された許容範囲から何れかが外れた場合に前記プラズマ切断装置の切断動作に異常が生じたと判断する判断手段とを有することを特徴とする。
【００１４】
また、本発明に係るプラズマ切断監視装置の第２の構成は、前記第１の構成において、前記記憶手段には、前記被切断材の切断条件に対応して予め設定された前記プラズマアークの外径直径と、前記切断溝の溝幅とのそれぞれの許容値情報が記憶され、前記比較手段は、前記算出手段により算出された現在の実際の切断時の前記プラズマアークの外径直径と、前記切断溝の溝幅と、前記記憶手段に記憶された前記被切断材の切断条件に対応して予め設定された前記プラズマアークの外径直径と、前記切断溝の溝幅とのそれぞれの許容値とを比較し、前記比較手段により比較される、現在の実際の切断時の前記プラズマアークの外径直径と、前記切断溝の溝幅とが、前記被切断材の切断条件に対応して予め設定された前記プラズマアークの外径直径と、前記切断溝の溝幅とのそれぞれの許容範囲から何れかが外れた場合に、前記判断手段は、前記プラズマ切断装置の切断動作に異常が生じたと判断することを特徴とする。
【００１５】
また、本発明に係るプラズマ切断監視装置の第３の構成は、プラズマ切断トーチを用いて被切断材の一部を溶融させると共に排除して切断するプラズマ切断装置の切断状態を監視するプラズマ切断監視装置であって、切断中の前記プラズマ切断トーチの先端から前記被切断材に向かって出射されるプラズマアークと、該プラズマアーク近傍の切断溝と、を撮像する撮像手段と、前記撮像手段により撮像された撮像画像情報から前記プラズマアークの外径直径と、前記切断溝の溝幅と、を算出し、該プラズマアークの外径直径と、前記切断溝の溝幅との差の２分の１の値を算出し、前記プラズマアークの外周と、該外周に近接する側の前記切断溝の溝縁との離間間隔を算出し、前記プラズマアークの外径直径と、前記切断溝の溝幅との差の２分の１の値と、前記プラズマアークの外周と、該外周に近接する側の前記切断溝の溝縁との離間間隔との差を算出する算出手段と、前記撮像手段により撮像された撮像画像情報から前記算出手段により算出された前記プラズマアークの外径直径と、前記切断溝の溝幅との差の２分の１の値と、前記プラズマアークの外周と、該外周に近接する側の前記切断溝の溝縁との離間間隔との差情報を時系列順に記憶する記憶手段と、前記算出手段により算出された現在の実際の切断時の前記プラズマアークの外径直径と、前記切断溝の溝幅との差の２分の１の値と、前記プラズマアークの外周と、該外周に近接する側の前記切断溝の溝縁との離間間隔との差と、前記記憶手段に記憶された最前の実際の切断時の前記プラズマアークの外径直径と、前記切断溝の溝幅との差の２分の１の値と、前記プラズマアークの外周と、該外周に近接する側の前記切断溝の溝縁との離間間隔との差とを比較する比較手段と、前記比較手段により比較される、現在の実際の切断時の前記プラズマアークの外径直径と、前記切断溝の溝幅との差の２分の１の値と、前記プラズマアークの外周と、該外周に近接する側の前記切断溝の溝縁との離間間隔との差と、最前の実際の切断時の前記プラズマアークの外径直径と、前記切断溝の溝幅との差の２分の１の値と、前記プラズマアークの外周と、該外周に近接する側の前記切断溝の溝縁との離間間隔との差が予め設定された許容範囲から外れた場合に前記プラズマ切断装置の切断動作に異常が生じたと判断する判断手段とを有することを特徴とする。
【００１６】
また、本発明に係るプラズマ切断監視装置の第４の構成は、前記第３の構成において、前記記憶手段には、前記被切断材の切断条件に対応して予め設定された前記プラズマアークの外径直径と、前記切断溝の溝幅との差の２分の１の値と、前記プラズマアークの外周と、該外周に近接する側の前記切断溝の溝縁との離間間隔との差の許容値情報が記憶され、前記比較手段は、前記算出手段により算出された実際の切断時の前記プラズマアークの外径直径と、前記切断溝の溝幅との差の２分の１の値と、前記プラズマアークの外周と、該外周に近接する側の前記切断溝の溝縁との離間間隔との差と、前記記憶手段に記憶された前記被切断材の切断条件に対応して予め設定された前記プラズマアークの外径直径と、前記切断溝の溝幅との差の２分の１の値と、前記プラズマアークの外周と、該外周に近接する側の前記切断溝の溝縁との離間間隔との差の許容値とを比較し、前記比較手段により比較される、実際の切断時の前記プラズマアークの外径直径と、前記切断溝の溝幅との差の２分の１の値と、前記プラズマアークの外周と、該外周に近接する側の前記切断溝の溝縁との離間間隔との差が、前記被切断材の切断条件に対応して予め設定された前記プラズマアークの外径直径と、前記切断溝の溝幅との差の２分の１の値と、前記プラズマアークの外周と、該外周に近接する側の前記切断溝の溝縁との離間間隔との差の許容範囲から外れた場合に、前記判断手段は、前記プラズマ切断装置の切断動作に異常が生じたと判断することを特徴とする。
【００１７】
また、本発明に係るプラズマ切断監視装置の第５の構成は、前記第１〜第４の構成において、前記撮像手段は、前記プラズマ切断トーチの近傍で前記プラズマ切断装置に固定され、前記算出手段は、前記プラズマ切断トーチの切断進行方向と、前記プラズマアークと前記撮像手段とを結ぶ直線方向とのずれの角度をθ、前記撮像手段により撮像した切断溝の溝幅をＷｉ、実際の切断溝の溝幅をＷａとした場合に、Ｗａ＝Ｗｉ×｜ｃｏｓθ｜の計算式により、前記撮像手段により撮像した切断溝の溝幅Ｗｉを、実際の切断溝の溝幅Ｗａに補正することを特徴とする。
【発明の効果】
【００１８】
本発明に係るプラズマ切断監視装置の第１の構成によれば、撮像手段により撮像された撮像画像情報に基づいて、現在の実際の切断時のプラズマアークの外径直径と、切断溝の溝幅と、最前の実際の切断時のプラズマアークの外径直径と、切断溝の溝幅とのそれぞれの差が、予め設定された許容範囲から何れかが外れた場合にプラズマ切断装置の切断動作に異常が生じたと判断することが出来る。これにより、標準仕様外で使用する場合であっても正常に切断した最前の切断時のプラズマアークの外径直径と、切断溝の溝幅を基準として監視が出来る。
【００１９】
また、プラズマ切断トーチの近傍でプラズマ切断装置に１台の撮像手段が固定された場合には、該プラズマ切断トーチの進行方向が、該プラズマ切断トーチと撮像手段とを結ぶ直線と直交する方向に変化した場合、切断溝の溝幅が撮像できなくなるが、その場合はプラズマアークの外径直径を監視することで、プラズマ切断トーチの進行方向に関わらず連続的に監視ができる。
【００２０】
本発明に係るプラズマ切断監視装置の第２の構成によれば、撮像手段により撮像された撮像画像情報に基づいて、現在の実際の切断時のプラズマアークの外径直径と、切断溝の溝幅とが、被切断材の切断条件に対応して予め設定されたプラズマアークの外径直径と、切断溝の溝幅とのそれぞれの許容範囲から何れかが外れた場合にプラズマ切断装置の切断動作に異常が生じたと判断することが出来る。これにより、最前の切断時のプラズマアークの外径直径と、切断溝の溝幅を基準として現在の実際の切断時のプラズマアークの外径直径と、切断溝の溝幅とを監視するだけでは、徐々に基準がずれていく可能性があるが、被切断材の切断条件に対応して予め設定されたプラズマアークの外径直径と、切断溝の溝幅とを基準にして現在の実際の切断時のプラズマアークの外径直径と、切断溝の溝幅とを監視できる。
【００２１】
本発明に係るプラズマ切断監視装置の第３の構成によれば、撮像手段により撮像された撮像画像情報に基づいて、現在の実際の切断時のプラズマアークの外径直径と、切断溝の溝幅との差の２分の１の値と、該プラズマアークの外周と、該外周に近接する側の切断溝の溝縁との離間間隔との差と、最前の実際の切断時のプラズマアークの外径直径と、切断溝の溝幅との差の２分の１の値と、該プラズマアークの外周と、該外周に近接する側の切断溝の溝縁との離間間隔との差が、予め設定された許容範囲から何れかが外れた場合にプラズマ切断装置の切断動作に異常が生じたと判断することが出来る。これにより、標準仕様外で使用する場合であっても正常に切断した最前の切断時のプラズマアークの外径直径と、切断溝の溝幅との差の２分の１の値と、該プラズマアークの外周と、該外周に近接する側の切断溝の溝縁との離間間隔との差を基準として監視が出来る。
【００２２】
本発明に係るプラズマ切断監視装置の第４の構成によれば、撮像手段により撮像された撮像画像情報に基づいて、現在の実際の切断時のプラズマアークの外径直径と、切断溝の溝幅との差の２分の１の値と、該プラズマアークの外周と、該外周に近接する側の切断溝の溝縁との離間間隔との差が、被切断材の切断条件に対応して予め設定されたプラズマアークの外径直径と、切断溝の溝幅との差の２分の１の値と、該プラズマアークの外周と、該外周に近接する側の切断溝の溝縁との離間間隔との差の許容範囲から外れた場合にプラズマ切断装置の切断動作に異常が生じたと判断することが出来る。これにより、最前の切断時のプラズマアークの外径直径と、切断溝の溝幅との差の２分の１の値と、該プラズマアークの外周と、該外周に近接する側の切断溝の溝縁との離間間隔との差を基準として現在の実際の切断時のプラズマアークの外径直径と、切断溝の溝幅との差の２分の１の値と、該プラズマアークの外周と、該外周に近接する側の切断溝の溝縁との離間間隔との差を監視するだけでは、徐々に基準がずれていく可能性があるが、被切断材の切断条件に対応して予め設定されたプラズマアークの外径直径と、切断溝の溝幅との差の２分の１の値と、該プラズマアークの外周と、該外周に近接する側の切断溝の溝縁との離間間隔との差を基準にして現在の実際の切断時のプラズマアークの外径直径と、切断溝の溝幅との差の２分の１の値と、該プラズマアークの外周と、該外周に近接する側の切断溝の溝縁との離間間隔との差を監視できる。
【００２３】
本発明に係るプラズマ切断監視装置の第５の構成によれば、プラズマ切断トーチの進行方向の変化や撮像手段の光軸角度に対応して撮像手段により撮像した切断溝の溝幅Ｗｉを、実際の切断溝の溝幅Ｗａに補正することが出来、プラズマ切断装置に１台の撮像手段が固定して設けられた場合であっても、該プラズマ切断トーチの進行方向が、該プラズマ切断トーチと撮像手段とを結ぶ直線と直交する方向に変化して切断溝の溝幅が撮像できなくなる場合を除けば、撮像手段により撮像した切断溝の溝幅Ｗｉに基づいて簡単な計算により実際の切断溝の溝幅Ｗａを正確に求めることが出来る。
【図面の簡単な説明】
【００２４】
【図１】本発明に係るプラズマ切断監視装置の構成を示す斜視説明図である。
【図２】撮像手段によりプラズマアークと切断溝とを同時に撮像する様子を示す斜視説明図である。
【図３】本発明に係るプラズマ切断監視装置の制御系の構成を示すブロック図である。
【図４】（ａ），（ｂ）はプラズマ切断トーチの進行方向の変化に対応して撮像手段により撮像した切断溝の溝幅Ｗｉを、水平方向における実際の切断溝の溝幅Ｗａに補正する様子を説明する図である。
【図５】（ａ）は撮像手段により撮像したプラズマアークと切断溝との撮像画像の一例を示す図、（ｂ）は（ａ）の撮像画像を説明する線画図である。
【図６】（ａ）〜（ｄ）は撮像手段により撮像したプラズマアークの外周と切断溝の縁との間隔を計測し、該プラズマアークの偏りを測定する様子を説明する図である。
【発明を実施するための形態】
【００２５】
図により本発明に係るプラズマ切断監視装置の一実施形態を具体的に説明する。
【実施例１】
【００２６】
先ず、図１〜図５を用いて本発明に係るプラズマ切断監視装置１の第１実施形態の構成について説明する。図１〜図５において、１はプラズマ切断トーチ５を用いて鋼板、ステンレス鋼板、非鉄金属板等の被切断材10の一部を溶融させると共に排除して切断するプラズマ切断装置２の切断動作状態を監視するプラズマ切断監視装置１である。
【００２７】
プラズマ切断装置２は、プラズマ切断トーチ５の移動及び作動を数値制御（ＮＣ）装置によって制御するＮＣ切断装置や、予め線描きされた図形を光学的に倣ってプラズマ切断トーチ５を移動させる倣い切断装置等に適用することが可能である。
【００２８】
本実施形態では、ＮＣ切断装置を用いた場合について説明する。図１に示すプラズマ切断装置２は、平行に敷設された一対のレール11に走行台車12が載置されており、該走行台車12にレール11と直交する方向に横行台車３が搭載されている。
【００２９】
また、横行台車３には昇降装置４を介して昇降するプラズマ切断トーチ５が取り付けられている。プラズマ切断トーチ５の近傍でプラズマ切断装置２には、切断中のプラズマ切断トーチ５の先端から被切断材10に向かって出射されるプラズマアーク18と、該プラズマアーク18近傍の切断溝６とを同時に撮像する撮像手段となる一台のＣＭＯＳ（Complementary Metal Oxide Semiconductor；相補性金属酸化膜半導体）イメージセンシングカメラ（以下、単に「ＣＭＯＳカメラ」という）８が支持部材７を介して固定されている。
【００３０】
ＣＭＯＳカメラ８に搭載されたＣＭＯＳイメージセンサ（Complementary Metal Oxide Semiconductor Image Sensor）は、光を電気信号に変換するフォトダイオードと複数のＣＭＯＳ型トランジスタを有して構成されるＩＣ（Integrated Circuit；半導体集積回路)からなるＣＭＯＳを用いた固体撮像素子であり、例えば、Ｐｉｘｉｍ社製のＣＭＯＳイメージセンサーと画像処理プロセッサからなるチップセットを搭載したＯｒｃａ（登録商標）シリーズのＣＭＯＳカメラ８が適用出来る。
【００３１】
このようなＣＭＯＳカメラ８では、各画素が被写体の明るさに合わせて最適な露光時間でサンプリングするマルチサンプリング方式を採用している。従来のＣＣＤカメラでは１〜２回／画素（＠１／３０ｓｅｃ）のサンプリングを行っていたが、本実施形態のＣＭＯＳカメラ８では、例えば、１フレーム（＠１／６０ｓｅｃ）毎に１４４回／画素のサンプリングを行うことが出来る。また、露光は、明るい箇所で短い露光時間と、暗い箇所で長い露光時間との互いに異なる２点間の傾きから計算され、固定パターンノイズ（ＦＰＮ）の削減を可能としている。このように、暗い部分と明るい部分との間の階調をつぶさに表現し得るワイドダイナミックレンジ（１２０ｄＢ）によりプラズマアーク18のような強烈なアークプラズマ光を低減し、図５（ａ）に示すように、切断中のプラズマ切断トーチ５の先端から被切断材10に向かって出射されるプラズマアーク18と、該プラズマアーク18近傍の切断溝６とを同時に明瞭に撮像することが出来る。
【００３２】
そして、図２に示すように、ＣＭＯＳカメラ８により切断中のプラズマ切断トーチ５の先端から被切断材10に向かって出射されるプラズマアーク18と、該プラズマアーク18近傍の切断溝６とを同時に撮像し、その撮像画像を処理して、ＣＭＯＳカメラ８により撮像された撮像画像情報から実際のプラズマアーク18の外径直径Ｄｐと、切断溝６の溝幅Ｗａとを算出手段となる画像解析部19により算出する。
【００３３】
尚、ＣＭＯＳカメラ８には、被切断材10に光を照射して切断溝６の溝幅Ｗａの撮影画像を鮮明にするための照明装置等が取り付けられている。図中、17はＣＭＯＳカメラ８による撮影エリアである。
【００３４】
走行台車12は走行モータ12ａによって駆動され、レール11に沿った走行方向ｅに走行し、横行台車３は横行モータ３ａによって駆動されてレール11に対して直交する方向である横行方向ｆに横行する。また、プラズマ切断トーチ５は昇降モータ４ａによって駆動されて上下方向に昇降する。
【００３５】
前記各モータ３ａ，４ａ，12ａは走行台車12に設けた制御盤９に組み込まれたＮＣ（数値制御）装置によって制御される。また制御盤９には、図３に示すプラズマ切断監視装置１の制御部15が組み込まれている。
【００３６】
上記の如く構成されたプラズマ切断装置２では、被切断材10から切断すべき形状の情報を制御盤９に組み込まれたＮＣ装置の記憶部22に記憶させ、この形状情報に従って走行モータ12ａ及び横行モータ３ａを駆動制御することで、プラズマ切断トーチ５を曲線を含む一筆書き状に移動させることが可能であり、且つ移動過程でプラズマ切断トーチ５を作動させることで、被切断材10から目的の図形を切断することが可能である。
【００３７】
本実施形態では、一般に市販されているＣＭＯＳカメラ８を用いており、プラズマアーク18の外径直径Ｄｐ及び被切断材10の切断溝６の溝幅Ｗａを計測するために、寸法解析能が０．１mmとなるように設定している。
【００３８】
本実施形態において、ＣＭＯＳカメラ８は横行台車３に設けた支持部材７に対して照明装置等と共に一体的に取り付けられている。即ち、ＣＭＯＳカメラ８と照明装置等はプラズマ切断トーチ５により切断される被切断材10に対する高さ及びプラズマ切断トーチ５からの水平距離が予め設定された値を有しており、且つＣＭＯＳカメラ８の光軸８ａの指向角度も、照明装置等及びＣＭＯＳカメラ８を予め設定された高さに設定したとき、該ＣＭＯＳカメラ８の光軸８ａがプラズマアーク18及び該プラズマアーク18近傍で被切断材10に形成された切断溝６のプラズマ切断トーチ５の後方近傍の像と交差し得る角度に設定されている。
【００３９】
次に、図３を用いてプラズマ切断監視装置１の制御系の構成について説明する。図３において、ＣＭＯＳカメラ８は、被切断材10を切断中のプラズマ切断トーチ５の先端から該被切断材10に向かって出射されるプラズマアーク18の外径直径Ｄｐの像及び該プラズマアーク18の近傍に形成される切断溝６の溝幅Ｗａの像を撮像する機能を有するものであり、撮像した撮像画像情報（画像信号）を算出手段となる画像解析部19に伝達する。
【００４０】
画像解析部19は、伝達された画像信号に対し二値化処理或いは多数値化処理して、プラズマアーク18の外径直径Ｄｐの像及び切断溝６の溝幅Ｗａの像に対応する信号を抽出し、抽出した像の画像信号を比較手段となる比較部20及び表示手段となる画像表示部21に伝達する。
【００４１】
13は入力手段となる入力部であり、被切断材10の種類や板厚、或いはプラズマ切断トーチ５の種類等の各種の被切断材10の切断条件に対応して予め設定されるプラズマアーク18の基準の外径直径Ｄｐと、基準の切断溝６の溝幅Ｗａ、それらの許容出来る許容範囲、或いは、その基準の外径直径Ｄｐと、基準の切断溝６の溝幅Ｗａとにそれぞれ所定の許容範囲を考慮した許容し得るプラズマアーク18の外径直径Ｄｐ及び切断溝６の溝幅Ｗａ等をキーボードや他の種々の入力装置を用いて入力する。尚、基準の切断溝６の溝幅Ｗａと、許容範囲とを入力した場合には許容出来るプラズマアーク18の外径直径Ｄｐ及び切断溝６の溝幅Ｗａが自動計算されることでも良いし、許容し得るプラズマアーク18の外径直径Ｄｐ及び切断溝６の溝幅Ｗａを直接入力することでも良い。
【００４２】
ここで、プラズマアーク18の外径直径Ｄｐ及び切断溝６の溝幅Ｗａの許容範囲の具体例としては、プラズマ切断トーチ５の切断品質の性能や切断用途に応じて所望の値に設定すれば良く、例えば、現在の実際の切断時のプラズマアーク18の外径直径Ｄｐ及び切断溝６の溝幅Ｗａの許容範囲は、現在から所定時間遡った最前の実際の切断時のプラズマアーク18の外径直径Ｄｐ及び切断溝６の溝幅Ｗａの±２０％程度を見込んでおけば良い。
【００４３】
例えば、プラズマ切断トーチ５のプラズマアーク電流が４００Ａの出力時に、プラズマアーク18の外径直径Ｄｐが４ｍｍ、切断溝６の溝幅Ｗａが５ｍｍに設定される場合には、プラズマアーク18の外径直径Ｄｐの許容範囲は、標準で±２５％、精度重視時には±１５％に設定される。また、切断溝６の溝幅Ｗａの許容範囲は、標準で±２０％、精度重視時には±１０％に設定される。
【００４４】
尚、切断開始時は最初の実際の切断時のプラズマアーク18の外径直径Ｄｐ及び切断溝６の溝幅Ｗａのデータを記憶部22に記憶して初期値とし、切断時に随時、データスキャンして実際の切断時のプラズマアーク18の外径直径Ｄｐ及び切断溝６の溝幅Ｗａのデータを随時更新し、記憶部22に記憶する。そして、現在から所定時間遡った最前のプラズマアーク18の外径直径Ｄｐ及び切断溝６の溝幅Ｗａと、現在の最新のプラズマアーク18の外径直径Ｄｐ及び切断溝６の溝幅Ｗａとのデータとを比較部20により比較判断し、予め設定された許容範囲を外れた場合には切断状態判定部14によりプラズマ切断装置２の切断動作に異常が生じたと判断する。プラズマ切断装置２の切断動作に異常が生じたと判断された後は、プラズマ切断トーチ５の先端に設けられる電極やノズルの交換後、新たに切断開始時に実際の切断時のプラズマアーク18の外径直径Ｄｐ及び切断溝６の溝幅Ｗａのデータを記憶部22に記憶して初期値とし、随時、更新することで、プラズマ切断装置２の切断動作を継続して監視できる。
【００４５】
また、現在の実際の切断時のプラズマアーク18の外径直径Ｄｐ及び切断溝６の溝幅Ｗａの許容範囲は、被切断材10の切断条件に対応して予め設定されたプラズマアーク18の基準の外径直径Ｄｐと、基準の切断溝６の溝幅Ｗａの±２０％程度を見込んでおけば良い。この場合、オペレータにより品質とコスト面を考慮して、その許容範囲を適宜変更できるように構成される。プラズマアーク18の外径直径Ｄｐや切断溝６の溝幅Ｗａは、プラズマ切断装置２の切断速度や、プラズマアーク18の外周にアシストガスや燃焼ガスとして噴射させる不活性ガスや酸素ガス等のガス流量により変化するため標準仕様以外の使用条件での許容範囲を設けることは困難である。これに対応できるように許容範囲の自動入力と強制入力とを適宜選択できるように構成される。
【００４６】
ＣＭＯＳカメラ８が切断溝６の真正面を撮影出来ずに斜めから撮影した場合の撮像画像上の誤差は次のようにして補正する。画像解析部19は、図４（ａ），（ｂ）に示すように、プラズマ切断トーチ５の切断進行方向ａと、プラズマアーク18とＣＭＯＳカメラ８とを結ぶ直線方向となる光軸８ａとの水平方向におけるずれの角度をθ、該ＣＭＯＳカメラ８により撮像した切断溝６の溝幅をＷｉ、実際の切断溝の溝幅をＷａとした場合に、Ｗａ＝Ｗｉ×｜ｃｏｓθ｜の計算式により、ＣＭＯＳカメラ８により撮像した切断溝６の溝幅Ｗｉを、実際の切断溝６の溝幅Ｗａに補正する。
【００４７】
尚、画像解析部19は、図４（ａ），（ｂ）に示すように、プラズマ切断トーチ５の切断進行方向ａと、プラズマアーク18とＣＭＯＳカメラ８とを結ぶ直線方向となる光軸８ａとの水平方向におけるずれの角度をθ、更に、図示しないが、被切断材10の上表面と、プラズマアーク18が該被切断材10の上表面と交差する点とＣＭＯＳカメラ８とを結ぶ直線となる光軸８ａとが成す高さ方向の角度をθ１、該ＣＭＯＳカメラ８により撮像した切断溝６の溝幅をＷｉ、実際の切断溝の溝幅をＷａとした場合に、Ｗａ＝Ｗｉ×｜ｃｏｓθ｜／｜ｓｉｎθ１｜の計算式により、ＣＭＯＳカメラ８により撮像した切断溝６の溝幅Ｗｉを、実際の切断溝６の溝幅Ｗａに補正することも出来る。
【００４８】
尚、制御部15は、予め設計されたＮＣ（数値制御）データを記憶する記憶部22に記憶された特定の図形の切断方向情報から切断進行方向情報を取得し、その切断進行方向情報からプラズマ切断トーチ５の切断進行方向ａを特定する。
【００４９】
これにより、プラズマ切断トーチ５の切断進行方向ａの変化やＣＭＯＳカメラ８の光軸８ａの角度θに対応して該ＣＭＯＳカメラ８により撮像した切断溝６の溝幅Ｗｉを、実際の切断溝６の溝幅Ｗａに補正することが出来、プラズマ切断装置２に１台のＣＭＯＳカメラ８が固定して設けられた場合であっても、該プラズマ切断トーチ５の切断進行方向ａが、図４（ａ）の９０°と２７０°で示す該プラズマ切断トーチ５とＣＭＯＳカメラ８とを結ぶ直線となる光軸８ａと直交する方向に変化して切断溝６の溝幅Ｗａが撮像できなくなる場合を除けば、ＣＭＯＳカメラ８により撮像した切断溝６の溝幅Ｗｉに基づいて簡単な計算により実際の切断溝６の溝幅Ｗａを正確に求めることが出来る。
【００５０】
尚、プラズマ切断トーチ５の切断進行方向ａが、図４（ａ）の９０°と２７０°で示す該プラズマ切断トーチ５とＣＭＯＳカメラ８とを結ぶ直線となる光軸８ａと直交する方向に変化して切断溝６の溝幅Ｗａが撮像できなくなった場合には、切断状態判定部14は、現在の実際の切断時のプラズマアーク18の外径直径Ｄｐのみに基づいてプラズマ切断装置２の切断動作に異常が生じたか否かを判断する。
【００５１】
尚、正常なプラズマアーク18については、略円柱状態であるためＣＭＯＳカメラ８の光軸８ａの角度θが変化しても該プラズマアーク18の外径直径Ｄｐは該ＣＭＯＳカメラ８により撮像した撮像画像データのままで補正することなく活用することが出来る。
【００５２】
22は記憶手段となる記憶部22であり、ＣＭＯＳカメラ８により撮像された撮像画像情報から画像解析部19により算出されたプラズマアーク18の外径直径Ｄｐ情報と、切断溝６の溝幅Ｗａ情報とを時系列順に記憶する。制御部15には記憶部22に記憶する時系列を規定するタイマーが設けられている。
【００５３】
比較部20は画像解析部19により算出された現在の実際の切断時のプラズマアーク18の外径直径Ｄｐと、切断溝６の溝幅Ｗａと、記憶部22に記憶された現在から所定時間遡った最前の実際の切断時のプラズマアーク18の外径直径Ｄｐと、切断溝６の溝幅Ｗａとを比較する。ここで、現在と最前との時間差としては、プラズマ切断トーチ５により被切断材10を切断する切断距離に換算して１０ｍｍ程度の時間差が好ましい。例えば、プラズマ切断トーチ５により被切断材10を切断する切断速度が３０００ｍｍ／ｍｉｎ（５０ｍｍ／ｓｅｃ）の場合には切断距離が１０ｍｍとなる時間は２００ｍｓｅｃとなる。従って、現在と最前との時間差の範囲としては、１００ｍｓｅｃ〜５００ｍｓｅｃが好ましい。
【００５４】
14は判断手段となる切断状態判定部であり、比較部20により比較される、現在の実際の切断時のプラズマアーク18の外径直径Ｄｐと、切断溝６の溝幅Ｗａと、現在から所定時間遡った最前の実際の切断時のプラズマアーク18の外径直径Ｄｐと、切断溝６の溝幅Ｗａとのそれぞれの差が、予め設定された許容範囲からプラズマアーク18の外径直径Ｄｐか、切断溝６の溝幅Ｗａかの少なくとも何れかが外れた場合にプラズマ切断装置２の切断動作に異常が生じたと判断する。
【００５５】
また、記憶部22には、被切断材10の切断条件に対応して予め設定されたプラズマアーク18の外径直径Ｄｐと、切断溝６の溝幅Ｗａとのそれぞれの許容値情報が記憶されている。そして、比較部20は、画像解析部19により算出された現在の実際の切断時のプラズマアーク18の外径直径Ｄｐと、切断溝６の溝幅Ｗａと、記憶部22に記憶された被切断材10の切断条件に対応して予め設定されたプラズマアーク18の外径直径Ｄｐと、切断溝６の溝幅Ｗａとのそれぞれの許容値とを比較する。
【００５６】
そして、比較部20により比較される、現在の実際の切断時のプラズマアーク18の外径直径Ｄｐと、切断溝６の溝幅Ｗａとが、被切断材10の切断条件に対応して予め設定されたプラズマアーク18の外径直径Ｄｐと、切断溝６の溝幅Ｗａとのそれぞれの許容範囲からプラズマアーク18の外径直径Ｄｐか、切断溝６の溝幅Ｗａかの少なくとも何れかが外れた場合に切断状態判定部14はプラズマ切断装置２の切断動作に異常が生じたと判断する。
【００５７】
入力部13により被切断材10の切断条件に対応して予め設定されたプラズマアーク18の基準の外径直径Ｄｐと、切断溝６の基準の溝幅Ｗａとを入力する。これに基づいて、プラズマアーク18の基準の外径直径Ｄｐと、切断溝６の基準の溝幅Ｗａの±２０％の許容範囲は自動計算される。或いは、プラズマアーク18の外径直径Ｄｐと、切断溝６の溝幅Ｗａの許容範囲は被切断材10の切断条件プログラムに基づいて自動計算されることでも良い。或いは、入力部13により任意の許容範囲を入力し、その許容範囲からプラズマアーク18の許容外径直径Ｄｐと、切断溝６の許容溝幅Ｗａとが自動計算されても良い。
【００５８】
そして、比較部20は、入力部13により入力されたプラズマアーク18の許容外径直径Ｄｐと、切断溝６の許容溝幅Ｗａと、画像解析部19により画像解析して検出された現在の実際の切断時のプラズマアーク18の外径直径Ｄｐと、切断溝６の溝幅Ｗａとを比較する。
【００５９】
また、比較部20は、現在の実際の切断時のプラズマアーク18の外径直径Ｄｐと、切断溝６の溝幅Ｗａと、現在から所定時間遡った最前の実際の切断時のプラズマアーク18の外径直径Ｄｐと、切断溝６の溝幅Ｗａとのそれぞれの差と、予め設定されたその差の許容範囲とを比較する。このときの現在と最前とのプラズマアーク18の外径直径Ｄｐと、切断溝６の溝幅Ｗａとのそれぞれの差の許容範囲も±２０％の許容範囲とすることが出来る。
【００６０】
そして、その比較情報は、切断状態判定部14に送られ、比較された現在の実際の切断時のプラズマアーク18の外径直径Ｄｐと、切断溝６の溝幅Ｗａとの少なくとも何れかがプラズマアーク18の許容外径直径Ｄｐと、切断溝６の許容溝幅Ｗａとから外れた場合に、切断状態判定部14においてプラズマ切断装置２の切断動作に異常が生じたと判定する。
【００６１】
画像表示部21はディスプレイやプリンター等からなり、ディスプレイではＣＭＯＳカメラ８から伝達された画像信号によるプラズマアーク18の外径直径Ｄｐの像と、切断溝６の溝幅Ｗａの像を表示する。
【００６２】  切断状態判定部14でプラズマ切断装置２の切断動作に異常が生じたと判定された場合には、制御部15に切断異常情報が伝達され、不良切断回避手段として警報装置16によりブザー等の警報を鳴らしたり、パトライト（登録商標）を点灯してオペレータに警報を発し、或いは、プラズマ切断装置２の切断停止制御を行なって不良切断を早期に回避した後、復帰する。【００６３】
次に、上記の如く構成されたプラズマ切断監視装置１によって現在の実際の切断時のプラズマアーク18の外径直径Ｄｐと、切断溝６の溝幅Ｗａとを監視する手順について説明する。先ず、プラズマ切断装置２の制御盤９に設けられた入力部13により被切断材10から切断すべき図形の情報を入力し、同時に被切断材10の材質や板厚等の情報、更には、予め被切断材10の切断条件に対応して設定されたプラズマアーク18の基準の外径直径Ｄｐと、切断溝６の基準の溝幅Ｗａ、現在の実際の切断時のプラズマアーク18の外径直径Ｄｐと基準の外径直径Ｄｐとの差の許容範囲と、切断溝６の溝幅Ｗａの基準の溝幅Ｗａとの差の許容範囲と、現在の実際の切断時から所定時間さかのぼった最前の実際の切断時のプラズマアーク18の外径直径Ｄｐの差の許容範囲と、切断溝６の溝幅Ｗａの差の許容範囲、或いはプラズマアーク18の許容外径直径Ｄｐと、切断溝６の許容溝幅Ｗａ等を入力する。
【００６４】
次いで、照明装置等から光を照射すると共に、被切断材10の表面にプラズマ切断トーチ５の先端から被切断材10に向かって出射されるプラズマアーク18と、該プラズマアーク18近傍のプラズマ切断トーチ５による切断により切断溝６が形成される部位の像をＣＭＯＳカメラ８を作動させて撮像し、撮像画像を取り込むスタンバイを行なう。上記手順を経ることで切断を開始する準備が終了する。
【００６５】
次に、プラズマ切断装置２を作動させ、制御盤９に設けられた制御部15からの駆動信号に応じて走行モータ12ａ，横行モータ３ａを駆動してプラズマ切断トーチ５を切断すべき方向に移動させる。
【００６６】
切断中のプラズマ切断トーチ５の先端から被切断材10に向かって出射されるプラズマアーク18の外径直径Ｄｐの像と、切断溝６の溝幅Ｗａの像とを撮像するタイミングは、プラズマ切断トーチ５による被切断材10の切断速度に対応させる。
【００６７】
ＣＭＯＳカメラ８によって撮像された画像は画像解析部19で二値化処理或いは多値化処理され、プラズマアーク18の外径直径Ｄｐの像及び切断溝６の溝幅Ｗａの像の画像信号が抽出されて比較部20及び画像表示部21に伝達される。
【００６８】
切断の進行に伴って定時的にプラズマアーク18の外径直径Ｄｐの像及び切断溝６の溝幅Ｗａの像に対する撮影がなされる。切断が進行する過程で、何らかの原因でプラズマアーク18の外径直径Ｄｐや切断溝６の溝幅Ｗａが大きくなったり、逆に小さくなった場合、該プラズマアーク18の外径直径Ｄｐの画像及び切断溝６の溝幅Ｗａの画像から実際のプラズマアーク18の外径直径Ｄｐの画像及び切断溝６の溝幅Ｗａの値が伝達された比較部20では、所定時間前のプラズマアーク18の外径直径Ｄｐ及び切断溝６の溝幅Ｗａとを比較し、切断状態判定部14は現在の実際の切断時のプラズマアーク18の外径直径Ｄｐ及び切断溝６の溝幅Ｗａと、現在から所定時間遡った最前の実際の切断時のプラズマアーク18の外径直径Ｄｐ及び切断溝６の溝幅Ｗａとの差が予め設定された許容範囲からプラズマアーク18の外径直径Ｄｐ、或いは切断溝６の溝幅Ｗａの少なくとも何れかが外れた場合にプラズマ切断装置２の切断動作に異常が生じたと判断する。そして、この切断異常情報に基づいて制御部15により警報装置16が作動してオペレータに対する警報を発する。
【００６９】  警報装置16が発する警報としては、ブザーの吹鳴或いはパトライト（登録商標）の点灯、及び画像表示部21のディスプレイに対する表示等があり、これらを選択して採用する。また、制御部15によりプラズマ切断装置２の停止制御等の必要な処置がなされ、復旧される。【００７０】
比較部20では、現在の実際の切断時のプラズマアーク18の外径直径Ｄｐ及び切断溝６の溝幅Ｗａと、予め被切断材10の切断条件に対応して設定されたプラズマアーク18の基準の外径直径Ｄｐと、切断溝６の基準の溝幅Ｗａとをも比較しており、両者の差が予め設定された許容範囲からプラズマアーク18の外径直径Ｄｐ、或いは切断溝６の溝幅Ｗａの少なくとも何れかが外れた場合にプラズマ切断装置２の切断動作に異常が生じたと判断する。そして、この切断異常情報に基づいて制御部15により警報装置16が作動してオペレータに対する警報を発する。
【００７１】
上記構成によれば、ＣＭＯＳカメラ８により撮像された撮像画像情報に基づいて、現在の実際の切断時のプラズマアーク18の外径直径Ｄｐと、切断溝６の溝幅Ｗａと、現在から所定時間遡った最前の実際の切断時のプラズマアーク18の外径直径Ｄｐと、切断溝６の溝幅Ｗａとのそれぞれの差が、予め設定された許容範囲から何れかが外れた場合にプラズマ切断装置２の切断動作に異常が生じたと判断することが出来る。これにより、標準仕様外で使用する場合であっても正常に切断した現在から所定時間遡った最前の切断時のプラズマアーク18の外径直径Ｄｐと、切断溝６の溝幅Ｗａを基準として監視が出来る。
【００７２】
また、プラズマ切断トーチ５の近傍でプラズマ切断装置２に１台のＣＭＯＳカメラ８が固定された場合には、該プラズマ切断トーチ５の進行方向が、該プラズマ切断トーチ５とＣＭＯＳカメラ８とを結ぶ直線となる光軸８ａと直交する方向に変化した場合、切断溝６の溝幅Ｗａが撮像できなくなるが、その場合はプラズマアーク18の外径直径Ｄｐを監視することで、プラズマ切断トーチ５の進行方向に関わらず連続的に監視ができる。
【００７３】
また、ＣＭＯＳカメラ８により撮像された撮像画像情報に基づいて、現在の実際の切断時のプラズマアーク18の外径直径Ｄｐと、切断溝６の溝幅Ｗａとが、被切断材10の切断条件に対応して予め設定されたプラズマアーク18の外径直径Ｄｐと、切断溝６の溝幅Ｗａとのそれぞれの許容範囲から何れかが外れた場合にプラズマ切断装置２の切断動作に異常が生じたと判断することが出来る。これにより、現在から所定時間遡った最前の切断時のプラズマアーク18の外径直径Ｄｐと、切断溝６の溝幅Ｗａを基準として現在の実際の切断時のプラズマアーク18の外径直径Ｄｐと、切断溝６の溝幅Ｗａとを監視するだけでは、徐々に基準がずれていく可能性があるが、被切断材10の切断条件に対応して予め設定されたプラズマアーク18の外径直径Ｄｐと、切断溝６の溝幅Ｗａとを基準にして現在の実際の切断時のプラズマアーク18の外径直径Ｄｐと、切断溝６の溝幅Ｗａとを監視できる。
【実施例２】
【００７４】
次に図６を用いて本発明に係るプラズマ切断監視装置１の第２実施形態について説明する。尚、前記第１実施形態と同様に構成したものは同一の符号を付して説明を省略する。
【００７５】
本実施形態では、算出手段となる画像解析部19は、ＣＭＯＳカメラ８により撮像された撮像画像情報から前記第１実施形態と同様にしてプラズマアーク18の外径直径Ｄｐと、切断溝６の溝幅Ｗａとを算出する。そして、該プラズマアーク18の外径直径Ｄｐと、切断溝６の溝幅Ｗａとの差の２分の１の値を算出する。更に、図６（ａ）〜（ｄ）に示すように、プラズマアーク18の外周と、該外周に近接する側の切断溝６の溝縁との左右それぞれの離間間隔Ｌ１，Ｌ２を算出する。更に、プラズマアーク18の外径直径Ｄｐと、切断溝６の溝幅Ｗａとの差の２分の１の値と、該プラズマアーク18の外周と、該外周に近接する側の切断溝６の溝縁との離間間隔Ｌ１，Ｌ２とのそれぞれの差を算出する。
【００７６】
記憶手段となる記憶部22は、ＣＭＯＳカメラ８により撮像された撮像画像情報から画像解析部19により算出されたプラズマアーク18の外径直径Ｄｐと、切断溝６の溝幅Ｗａとの差の２分の１の値と、該プラズマアーク18の外周と、該外周に近接する側の切断溝６の溝縁との離間間隔Ｌ１，Ｌ２とのそれぞれの差情報を時系列順に記憶する。
【００７７】
比較手段となる比較部20は、画像解析部19により算出された現在の実際の切断時のプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差と、記憶部22に記憶された現在から所定時間遡った最前の実際の切断時のプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差とを比較する。
【００７８】
判断手段となる切断状態判定部14は、比較部20により比較される、現在の実際の切断時のプラズマアーク18の外径直径Ｄｐと、切断溝６の溝幅Ｗａとの差の２分の１の値と、プラズマアーク18の外周と、該外周に近接する側の切断溝６の溝縁との左右それぞれの離間間隔Ｌ１，Ｌ２との差と、現在から所定時間遡った最前の実際の切断時のプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差が予め設定された許容範囲から外れた場合に、何らかの原因でプラズマアーク18の外周形状が円形で無くなったり、プラズマアーク18内でのエネルギー分布が偏って該プラズマアーク18の軸心が切断溝６の中心からずれたと判断してプラズマ切断装置２の切断動作に異常が生じたと判断する。
【００７９】
また、本実施形態では、記憶部22には、被切断材10の切断条件に対応して予め設定されたプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差の許容値情報が記憶されている。
【００８０】
例えば、プラズマ切断トーチ５のプラズマアーク電流が４００Ａの出力時に、プラズマアーク18の外径直径Ｄｐが４ｍｍ、切断溝６の溝幅Ｗａが５ｍｍ、該プラズマアーク18の外周と、該外周に近接する側の切断溝６の溝縁との左右それぞれの離間間隔Ｌ１，Ｌ２がそれぞれ１ｍｍに設定される場合には、該離間間隔Ｌ１，Ｌ２の許容範囲は、標準で±２０％、精度重視時には±１０％に設定される。
【００８１】
そして、比較部20は、画像解析部19により算出された実際の切断時のプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差と、記憶部22に記憶された被切断材10の切断条件に対応して予め設定されたプラズマアーク18の外径直径Ｄｐと、切断溝６の溝幅Ｗａとの差の２分の１の値と、プラズマアーク18の外周と、該外周に近接する側の切断溝６の溝縁との左右それぞれの離間間隔Ｌ１，Ｌ２との差の許容値とを比較する。
【００８２】
切断状態判定部14は、比較部20により比較される、実際の切断時のプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差が、被切断材10の切断条件に対応して予め設定されたプラズマアーク18の外径直径Ｄｐと、切断溝６の溝幅Ｗａとの差の２分の１の値と、プラズマアーク18の外周と、該外周に近接する側の切断溝６の溝縁との左右それぞれの離間間隔Ｌ１，Ｌ２との差の許容範囲から外れた場合に、磁気吹き（アークが電流の磁気作用によって偏向する現象）等によりプラズマアーク18に偏りが生じ、プラズマ切断装置２の切断動作に異常が生じたと判断する。
【００８３】
図６（ａ）はプラズマ切断装置２の切断動作が正常な状態を示し、図６（ｂ）は実際の切断時のプラズマアーク18の外径直径Ｄｐと、切断溝６の溝幅Ｗａとの差が小さくなったときの状態を示し、図６（ｃ）は実際の切断時のプラズマアーク18の外径直径Ｄｐと、切断溝６の溝幅Ｗａとの差が大きくなったときの状態を示し、図６（ｄ）はプラズマアーク18内でのエネルギー分布が偏って該プラズマアーク18の軸心が切断溝６の中心からずれたときの状態を示す。
【００８４】
ここで、プラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差の許容範囲の具体例としては、プラズマ切断トーチ５の切断品質の性能や切断用途に応じて所望の値に設定すれば良く、例えば、現在の実際の切断時のプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差の許容範囲は、現在から所定時間遡った最前の実際の切断時のプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差の±２０％程度を許容範囲として見込んでおけば良い。
【００８５】
また、現在の実際の切断時のプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差の許容範囲は、被切断材10の切断条件に対応して予め設定されたプラズマアーク18の基準の外径直径Ｄｐと、基準の切断溝６の溝幅Ｗａとの差の２分の１の値の±２０％程度を見込んでおけば良い。
【００８６】
本実施形態の構成によれば、ＣＭＯＳカメラ８により撮像された撮像画像情報に基づいて、現在の実際の切断時のプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差と、現在から所定時間遡った最前の実際の切断時のプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差が、予め設定された許容範囲から何れかが外れた場合にプラズマ切断装置２の切断動作に異常が生じたと判断することが出来る。これにより、標準仕様外で使用する場合であっても正常に切断した現在から所定時間遡った最前の切断時のプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差を基準として監視が出来る。
【００８７】
また、ＣＭＯＳカメラ８により撮像された撮像画像情報に基づいて、現在の実際の切断時のプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差が、被切断材10の切断条件に対応して予め設定されたプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差の許容範囲から外れた場合にプラズマ切断装置２の切断動作に異常が生じたと判断することが出来る。
【００８８】
これにより、現在から所定時間遡った最前の切断時のプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差を基準として現在の実際の切断時のプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差を監視するだけでは、徐々に基準がずれていく可能性があるが、被切断材10の切断条件に対応して予め設定されたプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差を基準にして現在の実際の切断時のプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差を監視できる。
【００８９】
＜第１参考例＞
また、第１参考例の構成として、算出手段となる画像解析部19は、ＣＭＯＳカメラ８により撮像された撮像画像情報からプラズマアーク18の外径直径Ｄｐと、切断溝６の溝幅Ｗａとを算出し、該プラズマアーク18の外径直径Ｄｐと、切断溝６の溝幅Ｗａとの差を算出する。即ち、図６に示す左右の離間間隔Ｌ１，Ｌ２の和に相当する。
【００９０】
記憶手段となる記憶部22は、被切断材10の切断条件に対応して予め設定されたプラズマアーク18の外径直径Ｄｐと、切断溝６の溝幅Ｗａとの差の許容値情報を記憶する。比較手段となる比較部20は、画像解析部19により算出された実際の切断時のプラズマアーク18の外径直径Ｄｐと、切断溝６の溝幅Ｗａとの差と、記憶部22に記憶されたプラズマアーク18の外径直径Ｄｐと、切断溝６の溝幅Ｗａとの差の許容値とを比較する。
【００９１】
判断手段となる切断状態判定部14は、比較部20により比較される、実際の切断時のプラズマアーク18の外径直径Ｄｐと、切断溝６の溝幅Ｗａとの差が、プラズマアーク18の外径直径Ｄｐと、切断溝６の溝幅Ｗａとの差の許容範囲から外れた場合にプラズマ切断装置２の切断動作に異常が生じたと判断する。
【００９２】
ここで、プラズマアーク18の外径直径Ｄｐと、切断溝６の溝幅Ｗａとの差の許容範囲の具体例としては、プラズマ切断トーチ５の切断品質の性能や切断用途に応じて所望の値に設定すれば良く、例えば、被切断材10の切断条件に対応して予め設定されたプラズマアーク18の基準の外径直径Ｄｐと、基準の切断溝６の溝幅Ｗａとの差の±２０％程度を見込んでおけば良い。
【００９３】
上記構成によれば、ＣＭＯＳカメラ８により撮像された撮像画像情報に基づいて、現在の実際の切断時のプラズマアーク18の外径直径Ｄｐと、切断溝６の溝幅Ｗａとの差が、被切断材10の切断条件に対応して予め設定された許容範囲から外れた場合にプラズマ切断装置２の切断動作に異常が生じたと判断することが出来る。プラズマアーク18の外径直径Ｄｐと、切断溝６の溝幅Ｗａとの差を監視することで、プラズマアーク18のエネルギー分布の変化を監視することが出来る。
【００９４】
＜第２参考例＞
また、第２参考例の構成として、算出手段となる画像解析部19は、ＣＭＯＳカメラ８により撮像された撮像画像情報からプラズマアーク18の外径直径Ｄｐと、切断溝６の溝幅Ｗａと、を算出し、該プラズマアーク18の外径直径Ｄｐと、切断溝６の溝幅Ｗａとの差を算出する。即ち、図６に示す左右の離間間隔Ｌ１，Ｌ２の和に相当する。
【００９５】
記憶手段となる記憶部22は、ＣＭＯＳカメラ８により撮像された撮像画像情報から画像解析部19により算出されたプラズマアーク18の外径直径Ｄｐと、切断溝６の溝幅Ｗａとの差情報を時系列順に記憶する。
【００９６】
比較手段となる比較部20は、画像解析部19により算出された現在の実際の切断時のプラズマアーク18の外径直径Ｄｐと、切断溝６の溝幅Ｗａとの差と、記憶部22に記憶された現在から所定時間遡った最前の実際の切断時のプラズマアーク18の外径直径Ｄｐと、切断溝６の溝幅Ｗａとの差とを比較する。
【００９７】
判断手段となる切断状態判定部14は、比較部20により比較される、現在の実際の切断時のプラズマアーク18の外径直径Ｄｐと、切断溝６の溝幅Ｗａとの差と、現在から所定時間遡った最前の実際の切断時のプラズマアーク18の外径直径Ｄｐと、切断溝６の溝幅Ｗａとの差との差が、予め設定された許容範囲から外れた場合にプラズマ切断装置２の切断動作に異常が生じたと判断する。
【００９８】
また、記憶部22には、被切断材10の切断条件に対応して予め設定されたプラズマアーク18の外径直径Ｄｐと、切断溝６の溝幅Ｗａとの差の許容値情報が記憶され、比較部20は、画像解析部19により算出された実際の切断時のプラズマアーク18の外径直径Ｄｐと、切断溝６の溝幅Ｗａとの差と、記憶部22に記憶された被切断材10の切断条件に対応して予め設定されたプラズマアーク18の外径直径Ｄｐと、切断溝６の溝幅Ｗａとの差の許容値とを比較する。
【００９９】
そして、切断状態判定部14は、比較部20により比較される、実際の切断時のプラズマアーク18の外径直径Ｄｐと、切断溝６の溝幅Ｗａとの差が、被切断材10の切断条件に対応して予め設定されたプラズマアーク18の外径直径Ｄｐと、切断溝６の溝幅Ｗａとの差の許容範囲から外れた場合に、プラズマ切断装置２の切断動作に異常が生じたと判断する。
【０１００】
ここで、プラズマアーク18の外径直径Ｄｐと、切断溝６の溝幅Ｗａとの差の許容範囲の具体例としては、プラズマ切断トーチ５の切断品質の性能や切断用途に応じて所望の値に設定すれば良く、例えば、現在の実際の切断時のプラズマアーク18の外径直径Ｄｐと、切断溝６の溝幅Ｗａとの差の許容範囲は、現在から所定時間遡った最前の実際の切断時のプラズマアーク18の外径直径Ｄｐと、切断溝６の溝幅Ｗａとの差の±２０％程度を許容範囲として見込んでおけば良い。
【０１０１】
また、被切断材10の切断条件に対応して予め設定されたプラズマアーク18の基準の外径直径Ｄｐと、基準の切断溝６の溝幅Ｗａとの差の±２０％程度を見込んでおけば良い。
【０１０２】
上記構成によれば、ＣＭＯＳカメラ８により撮像された撮像画像情報に基づいて、現在の実際の切断時のプラズマアーク18の外径直径Ｄｐと、切断溝６の溝幅Ｗａとの差と、現在から所定時間遡った最前の実際の切断時のプラズマアーク18の外径直径Ｄｐと、切断溝６の溝幅Ｗａとの差との差が、予め設定された許容範囲から外れた場合にプラズマ切断装置２の切断動作に異常が生じたと判断することが出来る。これにより、標準仕様外で使用する場合であっても正常に切断した現在から所定時間遡った最前の切断時のプラズマアーク18の外径直径Ｄｐと、切断溝６の溝幅Ｗａとの差を基準として監視が出来る。
【０１０３】
また、ＣＭＯＳカメラ８により撮像された撮像画像情報に基づいて、現在の実際の切断時のプラズマアーク18の外径直径Ｄｐと、切断溝６の溝幅Ｗａとの差が、被切断材10の切断条件に対応して予め設定されたプラズマアーク18の外径直径Ｄｐと、切断溝６の溝幅Ｗａとの差の許容範囲から外れた場合にプラズマ切断装置２の切断動作に異常が生じたと判断することが出来る。これにより、現在から所定時間遡った最前の切断時のプラズマアーク18の外径直径Ｄｐと、切断溝６の溝幅Ｗａとの差を基準として現在の実際の切断時のプラズマアーク18の外径直径Ｄｐと、切断溝６の溝幅Ｗａとの差を監視するだけでは、徐々に基準がずれていく可能性があるが、被切断材10の切断条件に対応して予め設定されたプラズマアーク18の外径直径Ｄｐと、切断溝６の溝幅Ｗａとの差を基準にして現在の実際の切断時のプラズマアーク18の外径直径Ｄｐと、切断溝６の溝幅Ｗａとの差を監視できる。
【０１０４】
＜第３参考例＞
また、第３参考例の構成として、算出手段となる画像解析部19は、ＣＭＯＳカメラ８により撮像された撮像画像情報からプラズマアーク18の外径直径Ｄｐと、切断溝６の溝幅Ｗａと、を算出する。更に、プラズマアーク18の外径直径Ｄｐと、切断溝６の溝幅Ｗａとの差の２分の１の値を算出する。更に、プラズマアーク18の外周と、該外周に近接する側の切断溝６の溝縁との左右それぞれの離間間隔Ｌ１，Ｌ２を算出する。そして、プラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差を算出する。
【０１０５】
記憶手段となる記憶部22は、被切断材10の切断条件に対応して予め設定されたプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差の許容値情報を記憶する。
【０１０６】
比較手段となる比較部20は、画像解析部19により算出された実際の切断時のプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差と、記憶部22に記憶されたプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差の許容値とを比較する。
【０１０７】
判断手段となる切断状態判定部14は、比較部20により比較される、実際の切断時のプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔との差が、該プラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差の許容範囲から外れた場合にプラズマ切断装置２の切断動作に異常が生じたと判断する。
【０１０８】
また、現在の実際の切断時のプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差の許容範囲は、被切断材10の切断条件に対応して予め設定されたプラズマアーク18の基準の外径直径Ｄｐと、基準の切断溝６の溝幅Ｗａとの差の２分の１の値の±２０％程度を見込んでおけば良い。
【０１０９】
上記構成によれば、ＣＭＯＳカメラ８により撮像された撮像画像情報に基づいて、現在の実際の切断時のプラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差が、被切断材10の切断条件に対応して予め設定された許容範囲から外れた場合にプラズマ切断装置２の切断動作に異常が生じたと判断することが出来る。プラズマアーク18の外径直径Ｄｐと、切断溝６の溝幅Ｗａとの差の２分の１の値と、該プラズマアーク18の外周と、該外周に近接する側の切断溝６の溝縁との左右それぞれの離間間隔Ｌ１，Ｌ２との差を監視することで、プラズマアーク18を中心とした切断溝６の左右での該プラズマアーク18の中心位置のずれや該プラズマアーク18のエネルギー分布の左右での偏りを監視することが出来る。
【産業上の利用可能性】
【０１１０】
本発明の活用例として、プラズマ切断トーチを用いて被切断材の一部を溶融させると共に排除して切断するプラズマ切断装置の切断状態を監視するプラズマ切断監視装置に適用出来る。
【符号の説明】
【０１１１】
Ｄｐ  …プラズマアークの外径直径
Ｌ１，Ｌ２ …プラズマアークの外周と切断溝の溝縁との離間間隔
Ｗａ  …実際の切断溝の溝幅
Ｗｉ  …撮像した切断溝の溝幅
１    …プラズマ切断監視装置
２    …プラズマ切断装置
３    …横行台車
３ａ  …横行モータ
４    …昇降装置
４ａ  …昇降モータ
５    …プラズマ切断トーチ
６    …切断溝
７    …支持部材
８    …ＣＭＯＳカメラ(撮像手段)
８ａ  …光軸
９    …制御盤
10    …被切断材
11    …レール
12    …走行台車
12ａ  …走行モータ
13    …入力部
14    …切断状態判定部（判断手段）
15    …制御部
16    …警報装置
17    …撮影エリア
18    …プラズマアーク
19    …画像解析部(算出手段)
20    …比較部(比較手段)
21    …画像表示部
22    …記憶部(記憶手段）
ａ    …切断進行方向
ｂ    …点
ｅ    …走行方向
ｆ    …横行方向
【図１】
0005749623.tif 000002
【図２】
0005749623.tif 000003
【図３】
0005749623.tif 000004
【図４】
0005749623.tif 000005
【図６】
0005749623.tif 000006
【図５】
0005749623.tif 000007